(57)【要約】【課題】取り扱いが容易であるとともに、洗濯物の乾燥のムラが低減される洗濯乾燥機を提供する。【解決手段】乾燥の対象となる洗濯物を収容したドラム１５は、乾燥運転時に所定の時間間隔で正方向の第一設定角度までの回転と逆方向の第二設定角度までの回転とを繰り返すことにより揺動運転する。そのため、ドラム１５の内部に収容された乾燥の対象となる洗濯物は、ドラム１５とともに移動する。これにより、温風がドラム１５内へ吹き出す吹出口４２と、ドラム１５に収容された洗濯物との位置関係はドラム１５の揺動とともに変化する。その結果、温風はより均一に乾燥の対象となる洗濯物に吹き付けられ、洗濯物の乾燥のムラが低減される。【選択図】図１
2010042195.tif 000002
【特許請求の範囲】
【請求項１】
本体の内部に設けられている水槽と、
前記水槽の内部に横軸を中心として回転可能に支持され、円筒状の周壁および前記周壁の底端に前記周壁と一体の底壁を有するドラムと、
前記ドラムの内部に収容された洗濯物を乾燥するための熱源と、
前記熱源で加熱された空気を前記ドラムへ供給するファン手段と、を備える洗濯乾燥機において、
前記ドラムの内部に収容された前記洗濯物を乾燥するとき、前記ファン手段を駆動し前記熱源で加熱された空気を前記ドラム内へ供給するとともに、前記ドラムを所定の時間間隔で揺動運転することを特徴とする洗濯乾燥機。
【請求項２】
前記ドラムは、一方の回転方向へ予め設定されている第一設定角度まで回転した後、他方の回転方向へ前記第一設定角度と同一の角度で回転し、さらに他方の回転方向へ予め設定されている第二設定角度まで回転した後、一方の回転方向へ前記第二設定角度と同一の角度で回転することを特徴とする請求項１記載の洗濯乾燥機。
【請求項３】
前記ドラムは、重力方向の最下部を基準として前記第一設定角度または前記第二設定角度まで回転することを特徴とする請求項２記載の洗濯乾燥機。
【請求項４】
前記水槽に設けられ、前記熱源で加熱され前記ファン手段によって供給された温風が吹き出す吹出口と、
前記底壁に周方向へ複数設けられ、前記吹出口から吹き出した温風を前記ドラムの内側へ導入する温風導入部と、
前記周壁の内周側において周方向へ複数設けられ、前記ドラムの軸方向へ伸びて径方向内側に突出するバッフルと、を有し、
前記バッフルのいずれか一つを重力方向の最下部に位置させているとき、前記温風導入部のいずれか一つが前記吹出口に重なることを特徴とする請求項１から３のいずれか一項記載の洗濯乾燥機。
【発明の詳細な説明】
【技術分野】
【０００１】
本発明は、洗濯乾燥機に関する。
【背景技術】
【０００２】
従来、洗濯乾燥機は、例えばセータなどの型くずれを招きやすい衣類、靴あるいはぬいぐるみなどを乾燥させる際に、洗濯物を収容するドラムの回転を停止し、温風を循環させることにより乾燥を行っている。この場合、例えば特許文献１のように、ドラムの内部に専用の棚を設置し、この棚に乾燥される洗濯物が載置される。また、特許文献２のように、専用の棚を使用することなく、ドラムの内部に乾燥される洗濯物を直接収容し、乾燥することも提案されている。
【特許文献１】特開２００７−２４４６５８号公報
【特許文献２】特開２００７−８２８３１号公報
【発明の開示】
【発明が解決しようとする課題】
【０００３】
しかしながら、特許文献１の場合、乾燥の対象となる洗濯物は棚に載置する必要がある。そのため、乾燥を行う前に、ドラムの内部に専用の棚を設置する手間が必要となる。また、専用の棚は、これら型くずれを招きやすい衣類や靴などの乾燥時以外は使用されず、棚を収容する場所等が必要となる。これらの結果、取り扱いが煩雑になるという問題がある。さらに、棚に載置された乾燥の対象となる洗濯物は、温風の当たり方が同じ方向からのみとなって不均一になる。そのため、洗濯物の乾燥にムラが生じやすいという問題がある。一方、特許文献２では、専用の棚を必要としないため、利便性は向上する。しかし、ドラムが回転しないため、乾燥の対象となる洗濯物は、常に一定の方向から温風を受け、乾燥ムラが生じやすいという問題がある。
【０００４】
そこで、本発明は、上記の課題に鑑みてなされたものであり、その目的は、取り扱いが容易であるとともに、洗濯物の乾燥のムラが低減される洗濯乾燥機を提供することにある。
【課題を解決するための手段】
【０００５】
上記の目的を達成するために、本発明の洗濯乾燥機は、本体の内部に設けられている水槽と、前記水槽の内部に横軸を中心として回転可能に支持され、円筒状の周壁および前記周壁の底端に前記周壁と一体の底壁を有するドラムと、前記ドラムの内部に収容された洗濯物を乾燥するための熱源と、前記熱源で加熱された空気を前記ドラムへ供給するファン手段と、を備える洗濯乾燥機において、前記ドラムの内部に収容された前記洗濯物を乾燥するとき、前記ファン手段を駆動し前記熱源で加熱された空気を前記ドラム内へ供給するとともに、前記ドラムを所定の時間間隔で揺動運転することを特徴とする。
【発明の効果】
【０００６】
上記の洗濯乾燥機の構成によれば、乾燥時にドラムは所定の時間間隔で揺動運転するので、ドラムの内部に収容された乾燥の対象となる洗濯物は、ドラムとともに移動する。そのため、熱源で加熱された温風がファン手段によってドラム内へ吹き出す部分と、ドラムに収容された乾燥の対象となる洗濯物との位置関係はドラムの揺動とともに変化する。その結果、温風はより均一に乾燥の対象となる洗濯物に提供され、しかもその動きは揺動であるためしわつきなどの心配もない。したがって、ドラムの内部への棚の設置などの手間が不要となり取り扱いが容易であるとともに、洗濯物を傷めることなく乾燥のムラを低減することができる。
【発明を実施するための最良の形態】
【０００７】
以下、本発明の一実施形態によるドラム式洗濯乾燥機を図面に基づいて説明する。
図２に示すように、洗濯乾燥機１０は、本体１１、扉１２、台板１３、水槽１４、ドラム１５、モータ１６、熱源としてのヒートポンプユニット１７およびファン手段としてのファン部１８を備えている。本体１１は、洗濯乾燥機１０の外郭を形成し、前端側に洗濯物が出し入れされる洗濯物投入口２１を形成している。扉１２は、この洗濯物投入口２１を開閉する。台板１３は、支持脚２２を有しており、本体１１の重力方向下端部に設けられている。水槽１４は、本体１１の内部に設けられ、サスペンション２３によって本体１１に弾性的に支持されている。この水槽１４の内部には、ドラム１５が設けられている。ドラム１５は、洗濯物投入口２１が設けられている前方ほど上方へ傾斜した横軸を中心として回転可能である。水槽１４およびドラム１５は、洗濯物投入口２１および扉１２と対向する前方側が開口している。
【０００８】
ドラム１５は、周知の通り周壁２４および底壁２５を有する有底の筒状に形成されている。ドラム１５は、周壁２４を径方向へ貫く複数の孔２６を有している。また、ドラム１５の周壁２４の内側には、周方向へ複数のバッフル２７が設けられている。バッフル２７は、ドラム１５の周壁２４の内側においてドラム１５の径方向内側に突出している。また、バッフル２７は、ドラム１５の軸方向に沿って扉１２側から底壁２５側へ伸びて設けられている。ドラム１５の底壁２５は、モータ１６に接続している。具体的には、モータ１６の回転軸２８がドラム１５の底壁２５に接続している。モータ１６は、例えばアウターロータ形のＤＣブラシレスモータからなる。モータ１６の回転軸２８をドラム１５の底壁２５に接続することにより、ドラム１５はモータ１６によって直接回転駆動される。このモータ１６からドラム１５には大きな駆動力が伝達される。そのため、ドラム１５とモータ１６との接続部分には、例えば補強ビードや金属板などの補強部が設けられている。さらに、ドラム１５の底壁２５は、図１に示すように温風導入部として複数の温風導入口３１を有している。本実施形態の場合、温風導入口３１は、底壁２５の周方向へ１２０°で等分した位置に三カ所設けている。これら各温風導入口３１には、複数の小孔３４を有するカバー３５が取り付けられている。
【０００９】
水槽１４は、図２に示すように前方の開口端側に内側へ庇状に突出した環状の水槽カバー３６が取り付けられている。この水槽カバー３６には、排気ダクト３７が一体に設けられている。排気ダクト３７は、空気が循環する循環路の一部を構成する。排気ダクト３７は、水槽１４側に開口している排気口３８を有している。ドラム１５の内部において洗濯物の乾燥に寄与した後の温風は、排気口３８から排気ダクト３７を経由して水槽１４の外部へ排出される。水槽カバー３６の先端部と扉１２の背面および洗濯物投入口との間には、柔軟なベローズ３９が設けられている。ベローズ３９は、水槽カバー３６と扉１２および洗濯物投入口２１との間を水密に封止し、水槽１４から外部への水の飛散などを防止する。
【００１０】
水槽１４の背部には、モータ１６を迂回する供給ダクト４１が水槽１４と一体に設けられている。供給ダクト４１は、先端部が吹出口４２に接続している。吹出口４２は、ドラム１５の底壁２５と対向する水槽１４の底壁２５に開口している。これにより、吹出口４２は、ドラム１５に設けられている各温風導入口３１と対向する。その結果、吹出口４２から吹き出した温風は、大部分が温風導入口３１のいずれかを経由してドラム１５の内側へ流入する。水槽１４は、重力方向において最下方に排水口４３を有している。排水口４３には、排水弁４４を有する排水ホース４５が接続されている。これにより、水槽１４で余剰となった水は、排水口４３から排水ホース４５を経由して洗濯乾燥機１０の外部へ排出される。
【００１１】
水槽１４の下方に位置する台板１３には、ヒートポンプユニット１７およびファン部１８が設けられている。ヒートポンプユニット１７で加熱された空気は、ファン部１８によって循環路４６を循環する。循環路４６は、排気ダクト３７、供給ダクト４１および熱交換ダクト４７から形成されている。熱交換ダクト４７は、内側にヒートポンプユニット１７およびファン部１８を収容し、排気ダクト３７および供給ダクト４１の下端に蛇腹状の継手４８、４９を挟んで接続している。これにより、水槽１４とヒートポンプユニット１７との間には、循環路４６によって閉じた経路が形成される。その結果、ヒートポンプユニット１７おける熱交換によって生成された温風は、供給ダクト４１、水槽１４、ドラム１５、排気ダクト３７および熱交換ダクト４７を経由して循環する。図２に示す矢印は、ファン部１８の駆動によって生じる基本的な空気の流れすなわち温風の流れを示している。
【００１２】
ヒートポンプユニット１７は、洗濯乾燥機１０における乾燥運転時に空気を加熱する加熱手段として機能する。ヒートポンプユニット１７は、周知のように冷媒が圧縮機５１により圧縮された後、凝縮器５２、図示しないキャピラリチューブ（絞り）および蒸発器５３の順に循環する冷凍サイクルによって構成されている。乾燥運転時は、熱交換ダクト４７に設けられている凝縮器５２において循環する空気が加熱され、加熱された空気がファン部１８により温風として供給ダクト４１へ供給される。供給ダクト４１へ供給された温風は、水槽１４およびドラム１５の内部に吹き出してドラム１５に収容されている洗濯物を乾燥させる。そして、洗濯物の乾燥に寄与した後の多量の湿気をともなう空気は、ドラム１５の前方の排気ダクト３７から排気されて再び熱交換ダクト４７へ流入する。これにより、湿気をともなう空気は、蒸発器５３において冷却および除湿され、再び凝縮器５２において加熱される。したがって、温風は、ファン部１８によって実質的に閉じた循環路４６を矢印Ａ方向へ循環する。
【００１３】
洗濯乾燥機１０は、本体１１の内部において上方左側に注水器５４が設けられている。注水器５４は、例えば洗剤などの処理剤供給手段を構成し、給水弁５５を経由して水道に接続している。洗濯運転時は、給水弁５５が開放され、水道水が注水器５４へ供給される。これにより、注水器５４に収容された洗剤は、水とともに給水ホース５６を経由して水槽１４へ供給される。
洗濯乾燥機１０は、本体１１の上方右側に制御装置５７を備えている。制御装置５７は、図示しない操作パネルからの操作入力に対応して、洗いから乾燥に至る洗濯乾燥機１０の運転の全体を制御する。制御装置５７は、ＣＰＵ、ＲＯＭおよびＲＡＭを有するマイクロコンピュータを主体として構成され、操作パネルからの操作信号や図示しない水位検知手段からの検知信号などが入力される。制御装置５７は、入力された各種の信号、および予め記憶された制御プログラムに基づいてモータ１６によるドラム１５の駆動、ヒートポンプユニット１７の圧縮機５１の駆動、循環用のファン部１８の駆動、排水弁４４および給水弁５５の開閉など、洗濯乾燥機１０の各部の駆動を制御する。
【００１４】
次に、温風導入口３１とバッフル２７との位置関係について説明する。
温風導入口３１は、上述のようにドラム１５の底壁２５に１２０°間隔で三カ所設けられている。これに対し、バッフル２７は、ドラム１５の周壁２４の内側に三カ所設けられている。このバッフル２７は、図１に示すように各温風導入口３１の周方向の中央に対応して設けられている。すなわち、バッフル２７は、底壁２５の中心つまりドラム１５の回転中心と各温風導入口３１の中心とを結んだ図１の一点鎖線で示す仮想直線の延長線上に設けられている。このように温風導入口３１とバッフル２７との位置関係を特定することにより、複数のバッフル２７のうちいずれか一つを重力方向において最下方に位置させたとき、水槽１４に設けられている吹出口４２は温風導入口３１のいずれか一つに重なる。すなわち、乾燥の対象となる洗濯物をドラム１５の内側に収容するとき、バッフル２７のいずれか一つが最下方に位置するようにドラム１５を回転させる。これにより、バッフル２７の近傍に乾燥の対象となる洗濯物が載置されるとともに、吹出口４２と温風導入口３１の一つとが重なり合う。その結果、吹出口４２から流出する温風は、温風導入口３１を経由して確実にドラム１５の内側へ供給される。
【００１５】
次に、上記の構成による洗濯乾燥機１０の作動について説明する。
洗濯乾燥機１０は、設定されたコースに応じて周知の通り制御装置５７によりモータ１６への通電が制御される。これにより、モータ１６に接続するドラム１５の回転速度が制御され、洗い、すすぎ、脱水および乾燥の各行程が自動的に実行される。ここで、通常の乾燥行程の場合、乾燥の対象となる洗濯物を収容したドラム１５は低速で回転駆動される。これにより、ドラム１５に収容された洗濯物は、ドラム１５の内部で攪拌される。このとき、ファン部１８は回転駆動されるため、循環路４６の空気は矢印Ａ方向へ流れる。循環する空気は、ヒートポンプユニット１７で加熱された後、温風となって供給ダクト４１を経由して水槽１４の背面側の吹出口４２およびドラム１５の底壁２５の温風導入口３１を経由してドラム１５の内部へ供給される。ドラム１５の内部に供給された空気は、収容された洗濯物から水分を奪うことにより洗濯物を乾燥させる。洗濯物を乾燥させることにより湿気を多量に含んだ空気は、前方の排気ダクト３７を経由して熱交換ダクト４７へ再び流入する。熱交換ダクト４７に流入した空気は、ヒートポンプユニット１７によって冷却、除湿および加熱され、新たな温風として再びドラム１５へ供給される。
【００１６】
次に、本実施形態の洗濯乾燥機１０を用いた揺動乾燥運転について説明する。
本実施形態の洗濯乾燥機１０は、上述した通常の乾燥行程に加え、例えばセータなどの型くずれしやすい衣類、靴あるいはぬいぐるみなどを乾燥させるための揺動乾燥運転が設定されいている。揺動乾燥運転を実行する場合、使用者は図示しない操作パネルから揺動乾燥コースを選択して設定する。
揺動乾燥運転では、図３に示すようにモータ１６すなわちドラム１５は、正方向および逆方向へ所定の角度の回転を繰り返す。なお、図１に示す正面視において、時計方向へのドラム１５の回転を正方向とし、時計と反対方向のドラム１５の回転方向を逆方向として説明する。揺動乾燥を実行する場合、予め使用者はドラム１５に乾燥対象となる洗濯物を収容する。このとき、使用者は、ドラム１５の周壁２４に複数設けられているバッフル２７のうちいずれか一つが重力方向においてドラム１５の最下部に位置するようにドラム１５を回転させる。このとき、ドラム１５は、使用者によって手動で回転される。これにより、図１に示すようにバッフル２７が最下部に位置しているときを基準位置としてドラム１５は回転駆動される。また、このとき、ドラム１５の底壁２５に設けられている温風導入口３１は、水槽１４に設けられている吹出口４２と重なっている。
【００１７】
揺動乾燥運転が開始される時期、すなわちドラム１５が回転を開始する時期を、運転開始時間ｔ＝０とする。揺動乾燥運転が開始されると、ドラム１５は図３に示すようにまず所定の時間で正方向へ第一設定角度まで回転した後、所定の時間で正方向への回転角度と同一の第一設定角度だけ逆方向へ回転する。本実施形態の場合、ドラム１５は、バッフル２７が最下部にある位置を基準位置（０°）として、正方向へ５秒間で第一設定角度の２０°まで回転した後、逆方向へ５秒間で第一設定角度の２０°まで回転する。これにより、ドラム１５は、基準位置から正方向へ２０°回転した後に基準位置に復帰する。このドラム１５の正方向への回転から基準位置までの復帰を第一サイクルとする。ドラム１５は、第一サイクルの後、基準位置で所定の時間だけ静止する。本実施形態の場合、ドラム１５は基準位置で１秒間静止する。ドラム１５は、基準位置で所定の時間だけ静止すると、所定の時間で逆方向へ第二設定角度まで回転した後、所定の時間で逆方向への回転角度と同一の第二設定角度だけ正方向へ回転する。本実施形態の場合、ドラム１５は、逆方向へ５秒間で第二設定角度の２０°まで回転した後、正方向へ５秒間で第二設定角度の２０°まで回転する。これにより、ドラム１５は、基準位置から逆方向へ２０°回転した後に基準位置に復帰する。このドラム１５の逆方向への回転から基準位置までの復帰を第二サイクルとする。このように、ドラム１５は、１秒間の静止を挟んで第一サイクルおよび第二サイクルにおいて揺動する。そして、ドラム１５は、運転開始時間ｔ＝０から６０秒を経過するごとに設定した乾燥時間が経過するまで、基準位置での静止を含む第一サイクルおよび第二サイクルを繰り返す。第二サイクルから次の第一サイクルまでの間、ドラム１５は静止した状態を維持している。
【００１８】
ところで、モータ１６は、ブラシレスのＤＣモータであるため、図示しない回転角度検出手段によって回転角度が検出される。制御装置５７は、回転角度検出手段で検出したドラム１５の回転角度すなわちモータ１６の回転角度に基づいて、ドラム１５が回転を開始する位置を基準位置として検出する。ドラム１５すなわちモータ１６は、正方向および逆方向へ同一の角度の回転を繰り返す場合でも、正方向の回転時と逆方向の回転時との間で回転角度にわずかな差が生じる場合がある。すなわち、上述の本実施形態の場合、ドラム１５が第一サイクルにおいて基準位置から正方向へ２０°まで回転した後、ドラム１５が逆方向へ２０°まで回転したとしても、例えばドラム１５の内部に収容された洗濯物の重量や配置によって、ドラム１５が復帰した位置は基準位置からわずかにずれることがある。その結果、ドラム１５が正方向および逆方向への回転を繰り返したとき、回転角度の誤差が徐々に拡大し、正方向または逆方向の回転に偏りが生じるおそれがある。そこで、本実施形態では、第一サイクルと第二サイクルとの間にドラム１５の静止時間を設けることにより、この静止時間の間に制御装置５７は基準位置に対応するドラム１５の回転角度の再設定を実施する。すなわち、制御装置５７は、正方向および逆方向のモータ１６の回転角度のずれを、静止時間内に補正する。これにより、ドラム１５が正方向および逆方向への回転を繰り返す場合でも、ドラム１５に生じる回転角度の偏りが低減される。
【００１９】
図４に示すようにドラム１５が回転することにより、ドラム１５に収容されている乾燥の対象となる洗濯物６０は、ドラム１５とともに図４（Ａ）に示す基準位置に対応する最下方から図４（Ｂ）に示す正方向の第一設定角度まで移動する。一方、ドラム１５が逆方向へ回転することにより、ドラム１５に収容されている洗濯物６０は、図４（Ｂ）に示す正方向の第一設定角度の位置から図４（Ａ）に示す基準位置に復帰する。さらに、ドラム１５が逆方向へ回転することにより、ドラム１５に収容されている洗濯物６０は、図４（Ａ）に示す基準位置から図４（Ｃ）に示す逆方向の第二設定角度まで移動する。そして、ドラム１５が正方向へ回転することにより、ドラム１５に収容されている洗濯物６０は、図４（Ｃ）に示す逆方向の第二設定角度の位置から図１（Ａ）に示す基準位置に復帰する。なお、図４では、説明の簡単のため、最下部に位置するバッフル２７および吹出口４２に重なる温風導入口３１だけを図示している。
【００２０】
図１および図４に示す本実施形態の場合、バッフル２７の一つをドラム１５の最下部に位置させているとき、ドラム１５の温風導入口３１の一つは水槽１４の吹出口４２に重なっている。そのため、吹出口４２から吹き出した温風は、温風導入口３１からドラム１５の内部へ流入する。ドラム１５が正方向および逆方向へ揺動することにより、図４（Ａ）から図４（Ｃ）に示すように温風導入口３１に重なる吹出口４２とドラム１５の内部に収容された乾燥対象となる洗濯物６０との相対的な位置関係は変化する。そのため、温風導入口３１を経由して吹出口４２からドラム１５の内側へ吹き出した温風は、ドラム１５の内部に収容された洗濯物６０に対して吹き付ける方向が変化する。その結果、ドラム１５が静止している場合と比較して、乾燥の対象となる洗濯物６０にはより均一に温風が当たる。
【００２１】
上述の本発明の一実施形態による洗濯乾燥機１０は、以下のような効果を奏する。
乾燥運転時にドラム１５は所定の時間間隔で揺動運転するので、ドラム１５の内部に収容された乾燥の対象となる洗濯物６０は、ドラム１５とともに移動する。そのため、ヒートポンプユニット１７で加熱された温風がドラム１５内へ吹き出す吹出口４２と、ドラム１５に収容された乾燥の対象となる洗濯物６０との位置関係はドラム１５の揺動とともに変化する。その結果、温風はより均一に乾燥の対象となる洗濯物６０に吹き付けられ、しかもドラム１５の動きは揺動であるため、洗濯物６０のしわつきなどの心配もない。したがって、ドラム１５の内部への棚の設置などの手間が不要となり取り扱いが容易であるとともに、洗濯物６０を傷めることなく乾燥のムラを低減することができる。
【００２２】
また、ドラム１５は、最下部となる基準位置から正方向の第一設定角度または逆方向の第二設定角度まで回転を繰り返すことにより揺動する。そのため、乾燥の対象となる洗濯物６０の重量のバランスなどによりドラム１５の正方向または逆方向の回転角度にずれが生じる場合でも、基準位置に基づいて補正することにより、その回転角度のずれが低減される。また、ドラム１５の揺動は、第一設定角度まで回転する第一サイクルと第二設定角度まで回転する第二サイクルとの間に１秒の静止時間が設定されている。これにより、ドラム１５が最下部に復帰した１秒の静止時間内に、ドラム１５の原点位置が再設定される。したがって、ドラム１５が正方向または逆方向へ回転を繰り返す場合でも、ドラム１５の回転角度の偏りを低減することができ、洗濯物６０の乾燥ムラを低減することができる。
【００２３】
さらに、複数のバッフル２７のいずれか一つを最下部に位置させているとき、ドラム１５の温風導入口３１と水槽１４の吹出口４２とが重なる。そのため、バッフル２７を目印としてドラム１５の最下部を設定することにより、吹出口４２に対するドラム１５の位置が一定に定められる。そして、ドラム１５が揺動することによって、温風が吹き出す吹出口４２とドラム１５に収容されている洗濯物６０との位置関係が変化する。これにより、ドラム１５の揺動によって、乾燥の対象となる洗濯物６０への温風の当たり方が変化する。したがって、吹出口４２からドラム１５に流入する温風の風向が変化し、ドラム１５に収容された洗濯物６０の乾燥ムラを低減することができる。
【００２４】
さらに、バッフル２７のいずれか一つを最下部へ移動させることによってドラム１５の最下部を設定することにより、ドラム１５の揺動によって洗濯物６０を乾燥させる場合、バッフル２７のいずれか一つは常にドラム１５の最下部に位置している。そのため、例えば厚物の衣類などを乾燥の対象としてドラム１５に収容したとき、それらの対象物の下方にはバッフル２７が位置する。その結果、乾燥の対象となる洗濯物６０とドラム１５の周壁２４との間には温風が通過可能な隙間が形成される。したがって、温風を効果的に乾燥の対象となる洗濯物６０に当てることができ、乾燥ムラをより低減することができる。
【００２５】
（その他の実施形態）
以上説明した本発明の一実施形態では、熱源としてヒートポンプユニット１７を用いる例について説明した。しかし、熱源は、例えば通電によって発熱する電気ヒータなどヒートポンプユニット１７に限らない。特に、熱源に電気ヒータを用いる場合、ヒートポンプユニット１７を熱源とする場合に比較して温風の温度が高くなる。そのため、上述の本発明の実施形態のようにドラム１５を揺動させて乾燥対象となる洗濯物６０への温風の流れを変化させることにより、洗濯物６０の局所的な温度上昇が抑制される。したがって、乾燥対象となる洗濯物６０への温度の影響および乾燥ムラをいずれも低減することができる。
【００２６】
また、本発明の一実施形態では、揺動乾燥運転におけるドラム１５の回転角度を正方向および逆方向へそれぞれ２０°とする例、および正方向および逆方向へ回転する時間を５秒に設定する例について説明した。しかし、揺動乾燥運転におけるドラム１５の回転角度および回転の所要時間は、例えばドラム１５の内径、乾燥対象となる洗濯物の形状あるいは大きさなどに応じて、乾燥の対象となる洗濯物の偏り、倒れあるいはしわなどの発生を招かない範囲で任意に設定することができる。
【００２７】
さらに、本発明の一実施形態では、正方向の第一設定角度および逆方向の第二設定角度をいずれも２０°に設定する例について説明したが、第一設定角度と第二設定角度とが異なっていてもよい。例えば吹出口４２とドラム１５に収容される乾燥対象となる洗濯物６０の位置関係を考慮して、第一設定角度を第二設定角度より大きく設定したり、第二設定角度を第一設定角度より大きく設定したりしてもよい。また、ドラム１５が基準位置から第一設定角度または第二設定角度まで回転する時間と、第一設定角度または第二設定角度から基準位置に復帰するまでの時間とは、同一でなくてもよい。
【図面の簡単な説明】
【００２８】
【図１】本発明の一実施形態による洗濯乾燥機の水槽およびドラムを前方の開口側から見た概略図
【図２】本発明の一実施形態による洗濯乾燥機の概略を示す断面図
【図３】本発明の一実施形態による洗濯乾燥機においてドラムの回転角度の経時的な変化を示す概略図
【図４】本発明の一実施形態による洗濯乾燥機において、ドラムに収容された洗濯物と吹出口との位置関係を示す模式図であって、（Ａ）は基準位置、（Ｂ）は第一設定角度、（Ｃ）は第二設定角度のときのドラムを示す図
【符号の説明】
【００２９】
図面中、１０は洗濯乾燥機、１１は本体、１４は水槽、１５はドラム、１７はヒートポンプユニット（熱源）、１８はファン部（ファン手段）、２４は周壁、２５は底壁、２７はバッフル、３１は温風導入口（温風導入部）、４２は吹出口を示す。
【図１】
2010042195.tif 000003
【図２】
2010042195.tif 000004
【図３】
2010042195.tif 000005
【図４】
2010042195.tif 000006